(57)【要約】      （修正有）【課題】明るい色の割合が高い画像を表示する際、全体の輝度を減少させて電力の消費を低減することできる能動型有機発光ダイオードの電力制御方法及びその装置を提供する。【解決手段】能動型有機発光ダイオード（ａｃｔｉｖｅ  ｍａｔｒｉｘ  ｏｒｇａｎｉｃ  ｌｉｇｈｔ−ｅｍｉｔｔｉｎｇ  ｄｉｏｄｅ）の電力制御方法であって、表示される画像データで特定の色を表す発光画素数の割合を意味するフレームデータレートを算出するステップと、前記フレームデータレートにマッピングされる輝度の減少量を決定するステップと、前記輝度の減少量に従って画像の全体の輝度を制御して表示するステップとを有する。【選択図】図３
2010156974.tif 000002
【特許請求の範囲】
【請求項１】
能動型有機発光ダイオード（ａｃｔｉｖｅ  ｍａｔｒｉｘ  ｏｒｇａｎｉｃ  ｌｉｇｈｔ−ｅｍｉｔｔｉｎｇ  ｄｉｏｄｅ）の電力制御方法であって、
表示される画像データで特定の色を表す発光画素数の割合を意味するフレームデータレートを算出するステップと、
前記フレームデータレートにマッピングされる輝度の減少量を決定するステップと、
前記輝度の減少量に従って画像の全体の輝度を制御して表示するステップとを有することを特徴とする能動型有機発光ダイオードの電力制御方法。
【請求項２】
前記フレームデータレートを算出するステップは、画像が変更される度に反復的に実行されることを特徴とする請求項１に記載の能動型有機発光ダイオードの電力制御方法。
【請求項３】
前記画像の全体の輝度を制御して表示するステップは、発光画素に供給される電流又は電圧のいずれか一つを調節して前記発光画素の発光量を調節するステップを含むことを特徴とする請求項１に記載の能動型有機発光ダイオードの電力制御方法。
【請求項４】
前記画像の全体の輝度を制御して表示するステップは、前記フレームデータレートに従って前記画像の全体の輝度を段階別に減少させるステップを含むことを特徴とする請求項１に記載の能動型有機発光ダイオードの電力制御方法。
【請求項５】
能動型有機発光ダイオードの電力制御装置であって、
画像データを表示し、能動型有機発光ダイオードで形成された表示部と、
前記画像データの表示時、前記画像データで特定の色を表す発光画素数の割合を意味するフレームデータレートを算出し、前記フレームデータレートに従って前記画像データの輝度を制御する制御部とを有することを特徴とする能動型有機発光ダイオードの電力制御装置。
【請求項６】
前記制御部は、白色又は黒色の少なくともいずれか一つを表す発光画素数をカウントして前記フレームデータレートを算出する画像分析部を含むことを特徴とする請求項５に記載の能動型有機発光ダイオードの電力制御装置。
【請求項７】
前記画像分析部は、前記発光画素の色相情報であるＲＧＢビットの全体又は一部を決定して前記フレームデータレートを算出することを特徴とする請求項６に記載の能動型有機発光ダイオードの電力制御装置。
【請求項８】
前記フレームデータレートに従って輝度の減少量を格納する格納部をさらに有することを特徴とする請求項５に記載の能動型有機発光ダイオードの電力制御装置。
【請求項９】
前記表示部は、前記表示部の輝度を制御する輝度制御部を含むことを特徴とする請求項５に記載の能動型有機発光ダイオードの電力制御装置。
【請求項１０】
前記輝度制御部は、駆動部の出力電流又は電圧のいずれか一つを制御することにより発光画素の発光量を調節することを特徴とする請求項９に記載の能動型有機発光ダイオードの電力制御装置。
【発明の詳細な説明】
【技術分野】
【０００１】
本発明は、能動型有機発光ダイオード（Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ）の電力制御方法及び装置に関し、特に、画像データで明るい色が占めている割合により全体の輝度を制御することができる能動型有機発光ダイオードの電力制御方法及び装置に関する。
【背景技術】
【０００２】
一般的に、携帯端末機の表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、及び有機電界発光表示装置（Ｏｒｇａｎｉｃ  Ｌｉｇｈｔ  Ｅｍｉｔｔｉｎｇ  Ｄｉｓｐｌａｙ）等がある。
【０００３】
上述の携帯端末機の表示装置中、有機電界発光表示装置は、蛍光又は燐光有機物薄膜に電流を流すと、電子と正孔が有機物層で結合して光を発生する有機発光ダイオード（Ｏｒｇａｎｉｃ  Ｌｉｇｈｔ  Ｅｍｉｔｔｉｎｇ  Ｄｉｏｄｅ、以下、ＯＬＥＤ）を利用する。このような有機発光ダイオード（ＯＬＥＤ）は、受動型有機発光ダイオード（Ｐａｓｓｉｖｅ  Ｍａｔｒｉｘ  Ｏｒｇａｎｉｃ  Ｌｉｇｈｔ−Ｅｍｉｔｔｉｎｇ  Ｄｉｏｄｅ、以下、ＰＭＯＬＥＤ）と、能動型有機発光ダイオード（Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ、以下、ＡＭＯＬＥＤ）とで区分することができる。
【０００４】
ＰＭＯＬＥＤは、一つのライン全体が一度に発光して駆動するライン駆動方式を使用し、ＡＭＯＬＥＤは、発光素子がそれぞれ駆動する個別駆動方式を使用する。発光素子は、赤い色を発光するＲ（Ｒｅｄ）有機発光ダイオード、緑色を発光するＧ（Ｇｒｅｅｎ）有機発光ダイオード、及び青色を発光するＢ（Ｂｌｕｅ）有機発光ダイオードを含むことができる。発光素子は、三色の発光ダイオードを組み合わせて必要とする色を表現することができる。
【０００５】
ＡＭＯＬＥＤは、色の再現性、薄い厚さ、速い応答速度、視野角、明暗比等の多方面で優れているため、移動通信端末機、ＰＤＡ、ＭＰ３等の様々な分野での利用が増加している。しかしながら、ＡＭＯＬＥＤは、明るい色を表示するために、Ｒ、Ｇ、Ｂ有機発光ダイオード全てを駆動するため、明るい色の割合が高い画像（例えば、白色を多く含む画像）の表示時、電力消費が急激に増加するという問題点がある。
【発明の開示】
【発明が解決しようとする課題】
【０００６】
そこで、本発明は上記従来の能動型有機発光ダイオードにおける問題点に鑑みてなされたものであって、本発明の目的は、明るい色の割合が高い画像を表示する際、全体の輝度を減少させて電力の消費を低減することできる能動型有機発光ダイオードの電力制御方法及びその装置を提供することにある。
【課題を解決するための手段】
【０００７】
上記目的を達成するためになされた本発明による能動型有機発光ダイオードの電力制御方法は、能動型有機発光ダイオード（ａｃｔｉｖｅ  ｍａｔｒｉｘ  ｏｒｇａｎｉｃ  ｌｉｇｈｔ−ｅｍｉｔｔｉｎｇ  ｄｉｏｄｅ）の電力制御方法であって、表示される画像データで特定の色を表す発光画素数の割合を意味するフレームデータレートを算出するステップと、前記フレームデータレートにマッピングされる輝度の減少量を決定するステップと、前記輝度の減少量に従って画像の全体の輝度を制御して表示するステップとを有することを特徴とする。
【０００８】
上記目的を達成するためになされた本発明による能動型有機発光ダイオードの電力制御装置は、能動型有機発光ダイオードの電力制御装置であって、画像データを表示し、能動型有機発光ダイオードで形成された表示部と、前記画像データの表示時、前記画像データで特定の色を表す発光画素数の割合を意味するフレームデータレートを算出し、前記フレームデータレートに従って前記画像データの輝度を制御する制御部とを有することを特徴とする。
【発明の効果】
【０００９】
本発明に係る能動型有機発光ダイオードの電力制御方法及びその装置によれば、明るい色の割合が高い画像を表示する際の電力消費を低減することができ、携帯端末機等のバッテリー使用時間を増加できるという効果がある。
【図面の簡単な説明】
【００１０】
【図１】本発明の実施形態に係る携帯端末機の構成を示したブロック図である。
【図２】本発明の実施形態に係る携帯端末機の構成中、表示部を詳細に示した図である。
【図３】本発明の実施形態に係る能動型有機発光ダイオードの電力制御方法を説明するためのフローチャートである。
【発明を実施するための形態】
【００１１】
次に、本発明に係る能動型有機発光ダイオードの電力制御方法及びその装置を実施するための形態の具体例を図面を参照しながら説明する。
【００１２】
ここで、添付の図面において、同一の構成要素は、なるべく同一の符号で表している。また、本発明の要旨を曖昧にし得る公知機能及び構成に関する詳細な説明は省略する。
一方、本明細書と図面に開示された本発明の実施形態は、本発明の技術内容をより分かりやすく説明し、本発明の理解を助けるために特定の例を挙げたことに過ぎず、本発明の範囲を限定するものではない。ここに開示された実施形態以外にも、本発明の技術的思想に基づく他の変形例も実施可能であることは、本発明の属する技術分野における通常の知識を有する者に自明なことである。
【００１３】
本発明の詳細な説明に先立ち、以下では、説明を容易にするために、本発明の実施形態に係る携帯端末機は、移動電話機、個人情報端末機（ＰＤＡ，Ｐｅｒｓｏｎａｌ  Ｄｉｇｉｔａｌ  Ａｓｓｉｓｔａｎｔ）、スマートフォーン（Ｓｍａｒｔ  Ｐｈｏｎｅ）、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ２０００）端末機、ＣＤＭＡ（Ｃｏｄｅ  Ｄｉｖｉｓｉｏｎ  Ｍｕｌｔｉｐｌｅ  Ａｃｃｅｓｓ）端末機、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）端末機、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）端末機、ＧＰＲＳ（Ｇｅｎｅｒａｌ  Ｐａｃｋｅｔ  Ｒａｄｉｏ  Ｓｅｒｖｉｃｅ）端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機、及びデジタル放送（Ｄｉｇｉｔａｌ  Ｂｒｏａｄｃａｓｔｉｎｇ）端末機、テレビ（Ｔｅｌｅｖｉｓｉｏｎ）、ＬＦＤ（Ｌａｒｇｅ  Ｆｏｒｍａｔ  Ｄｉｓｐｌａｙ）、ノートパソコン（Ｎｏｔｅｂｏｏｋ  ｃｏｍｐｕｔｅｒ）、ナビゲーション（Ｎａｖｉｇａｔｉｏｎ）端末機等のような全ての情報通信機器及びマルチメディア機器と、それに対する応用にも適用できることは当然である。
以下で、「フレームデータレート」とは、一つのフレームの画像データで特定の色（例えば、白色）が占めている割合を意味するものとする。
【００１４】
図１は、本発明の実施形態による携帯端末機の構成を示すブロック図であり、図２は、図１の表示部の構成を示すブロック図である。
図１及び図２を参照すると、携帯端末機１００は、表示部１３０、格納部１２０、及び制御部１１０を含むことができる。
【００１５】
表示部１３０は、携帯端末機１００の各種のメニュー画面をはじめとして、ユーザが入力したユーザデータ、機能設定情報、又はユーザに提供する多様な情報等を表示することができる。表示部１３０が、タッチスクリーンで形成される場合、表示部１３０は入力部（図示しない）として動作することができる。
【００１６】
特に、本発明に係る表示部１３０は、能動型有機発光ダイオード（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ、以下、ＡＭＯＬＥＤ）で形成することができる。このような表示部１３０は、駆動部３１、電圧部３２、輝度制御部３３、及びパネル３４を含む。
【００１７】
パネル３４は、偏光版（Ｐｏｌａｒｉｚｅｒ）、上部ガラス板、下部ガラス板、及び上部ガラス板と下部ガラス板の間に位置する有機物層（Ｏｒｇａｎｉｃ  Ｍａｔｅｒｉａｌｓ  Ｌａｙｅｒ）で構成される。
有機物層は、互いに交差する複数のゲートライン及び複数のデータラインによって、複数の単位領域で区分することができる。複数の単位領域には、それぞれ発光画素が実装される。
【００１８】
一つの発光画素は、Ｒ（Ｒｅｄ）、Ｇ（Ｇｒｅｅｎ）、及びＢ（Ｂｌｕｅ）有機発光ダイオードを含むことができる。特に、本発明に係るパネル３４は、輝度制御部３３の制御下、フレームデータレートによって発光量が制御される。すなわち、本発明に係るパネル３４は、輝度制御部３３の制御下、明るい色を多く含む画像を表示する場合、発光量を低減することができる。
【００１９】
一方、発光画素の発光原理に関する詳細な説明は、本発明の技術分野における通常の知識を有する者には自明なことであるため、省略する。
【００２０】
駆動部３１は、制御部１１０から伝送された画像データに従ってパネル３４上の発光画素を駆動させる。そのため、駆動部３１は、データドライバー、ゲートドライバー、タイミング制御部を含む。
ゲートドライバーは、フレーム（一つの垂直同期信号の期間）ごとに、パネル３４上の複数のゲートラインを順次に一定の期間（例えば、水平同期信号の期間）ずつイネーブル（Ｅｎａｂｌｅ）させることができる。そのため、ゲートドライバーは、ゲート開始パルスと水平同期信号の周期を有するクロック（Ｃｌｏｃｋ）信号を含むゲート制御信号によって動作される。
【００２１】
データドライバーは、複数のゲートラインの中のいずれか一つがイネーブルされる度に（すなわち、水平同期信号の周期ごとに）、一つのラインの画像データ信号をパネル３４上の複数のデータラインに供給する。そのため、データドライバーは、データ制御信号に従って画像データをストリーム形態で複数のデータラインに入力することができる。
【００２２】
タイミング制御部は、ゲートドライバー及びデータドライバーの駆動タイミングを制御する。すなわち、タイミング制御部は、同期信号（Ｓｙｎｃ  Ｓｉｇｎａｌ）に従ってゲート制御信号及びデータ制御信号を発生する。また、タイミング制御部は、制御部１１０からフレーム単位の画像データを入力され、データライン別に画像データを整列させてデータドライバーに供給する。
【００２３】
電圧部３２は、パネル３４上の発光画素に必要な駆動電圧を発生する。このような駆動電圧は、パネル３４上の発光画素に共通に供給される。この時、電圧部３２の駆動電圧によって駆動されるパネル３４上の発光画素は、ゲートドライバーによって一つのラインずつ選択的にイネーブルすることができる。イネーブルされた発光画素は、データドライバーからデータラインを経由して供給される画像データにより一定の電圧を充電し、充電された電圧に相応して発光することによって画像を表示することができる。
【００２４】
輝度制御部３３は、制御部１１０の制御下、パネル３４上の発光画素の輝度を制御する。そのため、輝度制御部３３は、パネル３４上の発光画素に供給する電圧又は電流を制御する。特に、本発明に係る輝度制御部３３は、フレームデータレートにマッピングされた輝度の減少量によって制御部１１０から輝度制御信号を伝送され、輝度制御信号に対応して表示部１３０の全体の輝度を制御する。すなわち、電流消費の多い、明るい画像を表示する際、輝度制御部３３は、輝度制御信号により、発光画素に供給する電圧又は電流を低減させることができる。
【００２５】
格納部１２０は、本発明の実施形態に係る機能動作に必要なプログラムをはじめとして、ユーザデータ等を格納する。このような格納部１２０は、プログラム領域とデータ領域を含む。
プログラム領域は、携帯端末機１００の全般的動作を制御するプログラム、携帯端末機１００をブーティングさせるオペレーティングシステム（ＯＳ、Ｏｐｅｒａｔｉｎｇ  Ｓｙｓｔｅｍ）、及び携帯端末機１００のその他のオプション（Ｏｐｔｉｏｎｓ）機能、例えば、カメラ機能、デジタル放送受信機能、イメージ又は動画再生機能、音楽再生機能等に必要な応用プログラム等を格納することができる。
【００２６】
特に、本発明に係るプログラム領域は、フレームデータレートによって表示部１３０の全体の輝度を制御するプログラムを含むことができる。
データ領域は、携帯端末機１００の使用によって発生するデータが格納される領域であり、フォーンブック、オーディオデータ、及び当該コンテンツ、又はユーザデータに対応する情報等を格納することができる。
【００２７】
特に、本発明に係るデータ領域は、フレームデータレートによる輝度の減少量を下記の表１のように格納することができる。
【表１】
2010156974.tif 000003
【００２８】
表１を参照すると、本発明の実施形態では、画像データのフレームデータレートによって画像を３ステップで区分し、各ステップに応じて輝度の減少量を異ならせることができる。
より詳細には、本発明の実施形態では、明るい色の割合が高い画像であるほど輝度の減少量を大きくすることができる。これは、明るい色の割合が高い画像において、電流消費が大きくなるＡＭＯＬＥＤの短所を解決するためである。例えば、フレームデータレートが７０以上〜９０％未満である場合、デフォルトに設定された輝度から２ステップ減少させ、フレームデータレートが５０以上〜７０％未満である場合、デフォルトに設定された輝度から１ステップ減少させることができる。上記ステップに従う輝度の減少量は、設計者の意図によって変更することができる。
【００２９】
一方、表１は本発明を限定するものではない。すなわち、表１では、フレームデータレートによる輝度の減少量が、ステップ別に一定に減少することで説明したが、輝度の減少量は、フレームデータレートにマッピングされた特定の値にすることができる。
例えば、フレームデータ率が５０〜７０％である場合、輝度の減少量はデフォルトに設定された輝度の１０％にし、７０〜９０％である場合、輝度の減少量はデフォルトに設定された輝度の３０％にすることができる。
【００３０】
輝度の減少量は、実験によって、設計者が最適化することができる。これは、パネル３４のサイズや駆動電圧等によって電流の消費量が異なるためである。また、上述した輝度の減少量は、明るい色を基準にしたものであるため、暗い色の割合を基準にする場合には変わり得るということは、本発明の技術分野における通常の知識を有する者に自明なことである。また、表１では、フレームデータレートに従い画像を３ステップで区分したが、設計者の意図によってより細分化することもでき、又は、より大きく区分して設定することもできる。
【００３１】
制御部１１０は、携帯端末機１００の全般的動作、及び携帯端末機１００の内部ユニット間の信号の流れを制御し、データ処理機能等を実行する。特に、本発明の実施形態に係る制御部１１０は画像分析部１０を含む。
【００３２】
画像分析部１０は、画像データを確認（ｄｅｔｅｒｍｉｎｅ）し、画像データに含まれる明るい色の割合を意味するフレームデータレートを算出する。そのため、画像分析部１０は、発光画素の色相情報を表すＲ、Ｇ、Ｂビットをカウントする。
より詳細には、一つの発光画素は、Ｒ、Ｇ、Ｂ各々の発光ダイオードを含み、Ｒ、Ｇ、Ｂ発光ダイオードは、それぞれ６ビットの値で明るさの調節が可能である。すなわち、一つの画素は１８ビットで表現することができる。
【００３３】
例えば、発光画素の全体ビットが「０」である場合、すなわち、「００００００００００００００００００」である場合、黒色を出力し、全体ビットが「１」である場合、すなわち、「１１１１１１１１１１１１１１１１１１」である場合、白色を出力する。発光画素は、全体ビットが「１」である時、すなわち、白色を表す時に電流を最も多く消費するようになる。
【００３４】
したがって、画像分析部１０は、全体の発光画素の中、白色を表す発光画素数をカウントしてフレームデータレートを算出する。すなわち、白色を表現する発光画素の割合が大きく、電流消費が大きい画像を表示する場合、発光画素に入力する電圧又は電流値を低くするように制御することができる。
【００３５】
その時、画像分析部１０は、各Ｒ、Ｇ、Ｂ発光ダイオードの上位の一部（例えば、上位３ビット）のビットを確認してフレームデータレートを算出する。
例えば、上位３ビットが「１」である、すなわち、全体のビットが「１１１＊＊＊１１１＊＊＊１１１＊＊＊」の発光画素の数をカウントしてフレームデータレートを算出する。ここで、上位の一部のビットのみを確認するのは、下位ビットは細かい色相変化を表しているため、電流消費の面ではさほど差がないからである。
【００３６】
又は、画像分析部１０は、全体ビットで上位の一部のビット（例えば、上位９ビット）のみを確認してフレームデータレートを算出することができる。
一方、以上では、フレームデータレートを３ステップで区分することで説明したが、本発明はこれに限定されるものではない。すなわち、本発明は、フレームデータレートは、設計者の意図によって複数のステップに設定することができる。
【００３７】
また、白色を表す発光画素数をカウントしてフレームデータレートを算出することで説明したが、本発明はこれに限定されるものではない。例えば、黒色又は設計者の意図によって特定の色を基準にしてフレームデータレートを算出することができる。このようなフレームデータレートの算出は、動画像の場合、周期的に実行され、静止画像の場合、他の画像に転換される時に実行される。
【００３８】
その後、制御部１１０は、フレームデータレートによって画像データの輝度を制御する。すなわち、制御部１１０は、フレームデータレートが大きい場合（例えば、５０％以上）、表示部１３０で消費される電流の量が多いと判断し、表示部１３０の明るさ、すなわち、輝度を低減させる。そのため、制御部１１０は、輝度制御信号を輝度制御部３３に伝送する。
【００３９】
一方、以上では、画像分析部１０が、一つのフレームに該当する画像データ全体を確認してフレームデータレートを算出することで説明したが、本発明はこれに限定されるものではない。すなわち、画像分析部１０は、一つのフレームに該当する画像データの一部を確認してフレームデータレートを算出することができる。これによって、本発明は、システムの負荷発生を防止することができる。
【００４０】
上述のように、本発明によれば、ＡＭＯＬＥＤを使用する携帯端末機で明るい色の割合が高い画像を表示する際、全体の輝度を減少させることで電力消費を低減することができる。これにより、本発明によれば、携帯端末機のバッテリー使用時間を増加させることができる。
【００４１】
また、図示していないが、携帯端末機１００は、イメージ又は動画像撮影のためのカメラモジュール、デジタル放送受信のための放送受信モジュール、スピーカーのようなオーディオ信号出力装置、マイクロホンのような音声信号入力装置、ＭＰ３モジュールのようなデジタル音源再生モジュール等の付加機能を有する構成要素を選択的にさらに含めて構成することができる。このような構成要素は、デジタル機器のコンバージェンス（ｃｏｎｖｅｒｇｅｎｃｅ）傾向により、非常に多様な形態が存在するため、全部列挙することはできないが、言及された構成要素と同等なレベルの構成要素が、本発明に係る携帯端末機１００にさらに含ませて構成することができる。
【００４２】
以上では、本発明の実施形態に係る能動型有機発光ダイオードの電力制御装置について説明した。以下では、能動型有機発光ダイオードの電力制御方法について説明する。
図３は、本発明の実施形態に係る能動型有機発光ダイオードの電力制御方法を説明するためのフローチャートである。
【００４３】
図１〜図３を参照すると、制御部１１０は、画像（静止画像及び動画像を含む）出力イベントが発生すれば、Ｓ３０１ステップで、出力された画像のフレームデータレートを算出する。フレームデータレートとは、画像データに含まれる明るい色の割合を意味する。
フレームデータレートは、発光画素の色相情報を表すＲＧＢビットをカウントして算出する。フレームデータレートの算出方法に関する詳細な説明は上述しているため、省略する。
【００４４】
その後、制御部１１０は、Ｓ３０３ステップで、フレームデータレートに従った輝度の減少量を決定する。そのため、格納部１２０は、フレームデータレートによる輝度の減少量をテーブル形態で格納することができる。輝度の減少量は、段階的に減少するように設定してもよく、フレームデータレートに対応してマッピングされた特定の値に設定してもよい。
【００４５】
その後、制御部１１０は、Ｓ３０５ステップで、輝度の減少量に従った輝度制御信号を輝度制御部３３に伝送する。輝度制御信号が伝送された輝度制御部３３は、駆動部３１の出力電流又は電圧を調節して表示部１３０の全体の輝度を制御する。例えば、フレームデータレートが８０％である場合、制御部１１０は、表１のように輝度を２ステップ低くする輝度制御信号を輝度制御部３３に伝送する。ここで、輝度の減少量は、設計者が実験によって最適化することができる。これは、パネル３４のサイズや駆動電圧等によって電流の消費量が異なるからである。
【００４６】
輝度制御信号を伝送された輝度制御部３３は、駆動部３１の出力電流又は電圧を制御して表示部１３０の全体の輝度を減少させる。
その後、制御部１１０は、Ｓ３０７ステップで、画像変化が発生するのか否かを確認する。Ｓ３０７ステップで、画像変化が発生する場合、制御部１１０は、Ｓ３０１ステップにもどって上述のステップを繰り返す。他方、Ｓ３０７ステップで、画像変化が発生しない場合、制御部１１０は、Ｓ３０９ステップに進行して表示部１３０がターンオフされたかどうかを確認する。
【００４７】
Ｓ３０９ステップで、表示部が１３０がターンオフされない場合、制御部１１０は、Ｓ３０７ステップにもどって画像の変化が発生するのか否かを確認するステップを維持する。他方、Ｓ３０９ステップで、表示部１３０がターンオフされる場合、制御部１１０は、本発明に係る有機発光ダイオードの電力制御ステップを終了する。
【００４８】
本発明のプロセッサー間のデータ通信方法は、多様なコンピュータ手段を介して実行できるプログラム命令形態に具現され、コンピュータで読み取ることのできる記録媒体に記録することができる。この時、コンピュータで読み取ることのできる記録媒体は、プログラム命令、データファイル、データ構造等を単独で又は組み合わせて含むことができる。一方、記録媒体に記録されるプログラム命令は、本発明のために特別に設計されて構成されたものでもよく、コンピュータソフトウェア当業者に公知の使用可能なものでもよい。
【００４９】
コンピュータで読み取ることのできる記録媒体には、ハードディスク、フロッピー（登録商標）ディスク、及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロップティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ、ＲＡＭ、フラッシュメモリ等のようなプログラム命令を格納して実行するように特別に構成されたハードウェア装置が含まれる。また、プログラム命令には、コンパイラーによってつくられるような機械語コードだけでなく、インタープリター等を用いてコンピュータによって実行できる高級言語コードを含む。上述のハードウェア装置は、本発明の動作を実行するために、一つ以上のソフトウェアモジュールで作動するように構成することができる。
【００５０】
上述した本発明は、静止画像及び動画像、両方に適用することができる。ここで、動画像を出力する場合、一つのフレームごとにフレームデータレートを確認して輝度を制御すると、システムに負荷を発生させるおそれがある。それゆえ、本発明は、動画像を出力する場合、周期的にフレームデータレートを確認して表示部１３０の輝度を制御するようにしている。
一方、以上では、明るい色（例えば、白色）の割合を算出して輝度を制御することで説明したが、本発明はこれに限定されるものではない。すなわち、本発明は、設計者の意図により、特定の色の割合を確認して表示部１３０の輝度を制御するようにすることができる。
【００５１】
以上で説明したように、本発明に係る能動型有機発光ダイオードの電力制御方法及びその装置は、明るい色の割合が高い画像を表示する際、電力の消費を低減することができ、携帯端末機のバッテリー使用時間を増加できるという効果がある。
【００５２】
尚、本発明は、上述の実施例に限られるものではない。本発明の技術的範囲から逸脱しない範囲内で多様に変更実施することが可能である。
例えば、以上では、制御部が輝度の減少量を確認し、表示部に伝送して表示部が輝度を減少させることで説明したが、制御部が輝度の減少量を確認して出力される輝度値を変更することもできる。変更された輝度値は、表示部に提供され、表示部は変更された輝度でイメージを出力することができる。
【符号の説明】
【００５３】
１０    画像分析部
３１    駆動部
３２    電圧部
３３    輝度制御部
３４    パネル
１００    携帯端末機
１１０    制御部
１２０    格納部
１３０    表示部
【図１】
2010156974.tif 000004
【図２】
2010156974.tif 000005
【図３】
2010156974.tif 000006